(57)【要約】【課題】多数の計測項目をユーザに提示する計測機器に、当該ユーザの使用目的に沿った計測項目が優先的に表示されるように制御する。【解決手段】健康管理システム１ａはユーザ装置１Ａとサーバ装置１０Ａを備える。ユーザ装置１Ａは、目的データを生成する端末装置２０、生体データを生成する活動量計３０、体組成計４０、睡眠計５０、及び血圧計６０を備える。サーバ装置１０Ａは、ユーザ装置１０Ａから、生体データ及び目的データを取得し、それらに基づいて、複数項目の活動量データのうち表示部に優先的に表示させる優先表示項目を指示する表示項目設定データを生成して活動量計３０へ送信する。【選択図】図１
2015051224.tif 000002
【特許請求の範囲】
【請求項１】
ユーザの生体の状態を示す生体データを生成する複数種類の生体計測装置を含むユーザ装置と前記生体データを管理するサーバ装置とを備えた健康管理システムであって、
前記ユーザ装置は、前記生体データとして活動量を示す活動量データを生成する活動量計を生体計測装置として含み、ユーザの当該健康管理システムの使用目的を示す目的データ及び前記生体データを前記サーバ装置に送信し、
前記活動量計は、
前記ユーザの活動に関する複数の種類の項目の各々について活動量を示す活動量データを生成するデータ生成部と、
画像を表示する表示部と、
前記サーバ装置から受信した前記表示部に優先して表示すべき活動量の項目である優先表示項目を示す表示項目設定データを記憶する記憶部と、
前記表示項目設定データに基づいて前記表示部に優先表示項目を他の項目より優先して表示させる表示制御部とを備え、
前記サーバ装置は、
前記ユーザ装置から受信した前記目的データ及び前記生体データに基づいて設定された前記表示項目設定データを取得する設定データ取得部と、
前記設定データ取得部で取得した前記表示項目設定データを前記活動量計に送信する通信部とを備える、
ことを特徴とする健康管理システム。
【請求項２】
前記サーバ装置は、
前記ユーザ装置から受信した前記目的データ及び前記生体データに基づいて設定され、前記優先表示項目の目標値を示す目標データを取得する目標データ取得部を備え、
前記通信部は、前記目標データを前記活動量計に送信し、
前記活動量計の表示制御部は、前記優先表示項目と共に前記目標データの示す目標値を前記表示部に表示するように制御する、
ことを特徴とする請求項１に記載の健康管理システム。
【請求項３】
前記サーバ装置は、健康管理者に前記目的データ及び前記生体データを閲覧可能とする制御部を備え、前記設定データ取得部は、前記健康管理者によって設定された前記表示項目設定データを取得することを特徴とする請求項１又は２に記載の健康管理システム。
【請求項４】
前記サーバ装置は、前記目的データ及び前記生体データに基づいて前記表示項目設定データを生成する設定データ生成部を備えることを特徴とする請求項１又は２に記載の健康管理システム。
【請求項５】
前記サーバ装置は、健康管理者に前記目的データ及び前記生体データを閲覧可能とする制御部を備え、前記目標データ取得部は、前記健康管理者によって設定された前記目標データを取得することを特徴とする請求項２に記載の健康管理システム。
【請求項６】
前記サーバ装置は、前記目的データ及び前記生体データに基づいて前記表示項目設定データを生成する設定データ生成部を備えることを特徴とする請求項２に記載の健康管理システム。
【請求項７】
ユーザの生体の状態を示す生体データを生成する複数種類の生体計測装置を含むユーザ装置と前記生体データを管理するサーバ装置とを備えた健康管理システムにおいて、前記生体計測装置として用いることが可能な活動量計であって、
ユーザの活動に関する複数の種類の項目の各々について活動量を示す活動量データを生成するデータ生成部と、
画像を表示する表示部と、
前記活動量データを前記サーバ装置へ送信すると共に、前記サーバ装置から前記表示部に優先して表示すべき活動量の項目である優先表示項目を示す表示項目設定データを受信する通信部と、
前記表示項目設定データに基づいて前記表示部に優先表示項目を他の項目より優先して表示させる表示制御部と、
を備えることを特徴とする活動量計。
【請求項８】
前記表示項目設定データは、ユーザが前記健康管理システムを使用する使用目的及び前記生体データに基づいて設定される、
ことを特徴とする請求項７に記載の活動量計。
【請求項９】
前記通信部は、前記サーバ装置から前記優先表示項目の目標値を示す目標データを受信し、
前記表示制御部は、前記優先表示項目と共に前記目標データの示す目標値を前記表示部に表示するように制御する、
ことを特徴とする請求項７または８に記載の活動量計。
【発明の詳細な説明】
【技術分野】
【０００１】
本発明は、健康管理システム及び活動量計に関する。
【背景技術】
【０００２】
近年、ユーザの活動量を計測して表示する活動量計が広く普及している。ユーザに提示される活動量に関する項目は多岐に亘っており、例えば、歩数、歩行距離、歩行時間、消費エネルギー、及び脂肪燃焼量などがある。
また、活動量計は、ユーザのポケットなどに収納されて携行されることが多い。このため、活動量計は小型且つ軽量であり、これに伴い、活動量を表示する表示手段の面積も小さい。そのような小型の表示手段に、複数項目の活動量をユーザによる視認が容易な態様で同時に表示させることは困難である。そこで、特許文献１には、ユーザがスイッチ操作などを行うことで、表示手段に表示させる活動量の項目を適宜切り替える表示方法が開示されている。
【先行技術文献】
【特許文献】
【０００３】
【特許文献１】特開２０１１−００８６１２号公報
【発明の概要】
【発明が解決しようとする課題】
【０００４】
ところで、活動量計によって提示される多数項目のうち、各ユーザが実際に必要とする項目は一部だけであることが多い。ユーザは通常、特定の目的の為に活動量計を使用するため、当該目的に関連性が強い項目のみを知ることができれば充分だからである。例えば、ダイエット中の利用者の最大の関心が脂肪燃焼量であれば、歩数や歩行距離を表示する必要性は低い。
しかしながら、上述したように近年の活動量計によって提示される活動量に関する項目は多岐に亘るので、各ユーザは自身の目的に関連性が強い項目を表示させるために煩雑なスイッチ操作を行う必要があるといった問題があった。
本発明は、上述した事情に鑑みて為されたものであり、多数の計測項目をユーザに提示可能な計測機器を、当該ユーザの使用目的に沿った計測項目が優先的に表示されるようにカスタマイズする健康管理システム、及び活動量計を提供することなどを解決課題とする。
【課題を解決するための手段】
【０００５】
上記課題を解決するために、本発明に係る健康管理システムの一態様は、ユーザの生体の状態を示す生体データを生成する複数種類の生体計測装置を含むユーザ装置と前記生体データを管理するサーバ装置とを備えた健康管理システムであって、前記ユーザ装置は、前記生体データとして活動量を示す活動量データを生成する活動量計を生体計測装置として含み、ユーザの当該健康管理システムの使用目的を示す目的データ及び前記生体データを前記サーバ装置に送信し、前記活動量計は、前記ユーザの活動に関する複数の種類の項目の各々について活動量を示す活動量データを生成するデータ生成部と、画像を表示する表示部と、前記サーバ装置から受信した前記表示部に優先して表示すべき活動量の項目である優先表示項目を示す表示項目設定データを記憶する記憶部と、前記表示項目設定データに基づいて前記表示部に優先表示項目を他の項目より優先して表示させる表示制御部とを備え、前記サーバ装置は、前記ユーザ装置から受信した前記目的データ及び前記生体データに基づいて設定された前記表示項目設定データを取得する設定データ取得部と、前記設定データ取得部で取得した前記表示項目設定データを前記活動量計に送信する通信部とを備えることを特徴とする。
【０００６】
上記健康管理システムの一態様によれば、活動量計のユーザの使用目的に沿った項目に係る活動量データが、当該活動量計の表示部に優先的に表示されるように、当該活動量計がカスタマイズされる。従って、ユーザは、自身の生体に係る状態や使用目的などを分析して活動量計の表示をカスタマイズする必要がなくなるため、当該カスタマイズに要する手間が軽減される。
【０００７】
また、上記健康管理システムの一態様において、前記サーバ装置は、前記ユーザ装置から受信した前記目的データ及び前記生体データに基づいて設定され、前記優先表示項目の目標値を示す目標データを取得する目標データ取得部を備え、前記通信部は、前記目標データを前記活動量計に送信し、前記活動量計の表示制御部は、前記優先表示項目と共に前記目標データの示す目標値を前記表示部に表示するように制御する、ことが好ましい。この場合、ユーザは、優先表示項目を視認する際に当該優先表示項目として示されている活動量に係る目標値も同時に視認できるため、当該活動量計の利便性がより高まる。
【０００８】
また、上記健康管理システムの一態様において、前記サーバ装置は、健康管理者に前記目的データ及び前記生体データを閲覧可能とする制御部を備え、前記設定データ取得部は、前記健康管理者によって設定された前記表示項目設定データを取得することが好ましい。あるいは、前記サーバ装置は、前記目的データ及び前記生体データに基づいて前記表示項目設定データを生成する設定データ生成部を備えることが好ましい。
この場合は、ユーザの使用目的及び生体データを参照して優先表示項目が設定される。ここで、生体データは、活動量計だけでなく他の生体計測装置で生成されたものを含む。従って、活動量計で知ることができる活動量以外の生体の状態をも参照して、使用目的に合致した優先表示項目を設定することが可能となる。
【０００９】
また、上記健康管理システムの一態様において、前記サーバ装置は、健康管理者に前記目的データ及び前記生体データを閲覧可能とする制御部を備え、前記目標データ取得部は、前記健康管理者によって設定された前記目標データを取得することが好ましい。あるいは、前記サーバ装置は、前記目的データ及び前記生体データに基づいて前記表示項目設定データを生成する設定データ生成部を備えることが好ましい。
この場合は、ユーザの使用目的及び生体データを参照して目標値が設定される。生体データは、活動量計だけでなく他の生体計測装置で生成されたものを含むので、活動量計で知ることができない生体の状態をも参照して、目標値を設定することが可能となる。
【００１０】
本発明に係る活動量計の一態様は、ユーザの生体の状態を示す生体データを生成する複数種類の生体計測装置を含むユーザ装置と前記生体データを管理するサーバ装置とを備えた健康管理システムにおいて、前記生体計測装置として用いることが可能なものであって、ユーザの活動に関する複数の種類の項目の各々について活動量を示す活動量データを生成するデータ生成部と、画像を表示する表示部と、前記活動量データを前記サーバ装置へ送信すると共に、前記サーバ装置から前記表示部に優先して表示すべき活動量の項目である優先表示項目を示す表示項目設定データを受信する通信部と、前記表示項目設定データに基づいて前記表示部に優先表示項目を他の項目より優先して表示させる表示制御部とを備える、ことを特徴とする。前記表示項目設定データは、ユーザが前記健康管理システムを使用する使用目的及び前記生体データに基づいて設定されることが好ましい。
この活動量計の一態様によれば、ユーザの使用目的に沿った項目に係る活動量データが、当該活動量計の表示部に優先的に表示されるように、当該活動量計がカスタマイズされる。従って、ユーザは、自身の生体に係る状態や使用目的などを分析して活動量計の表示をカスタマイズする必要がなくなるため、当該カスタマイズに要する手間が軽減される。
【００１１】
上述した活動量計の一態様において、前記通信部は、前記サーバ装置から前記優先表示項目の目標値を示す目標データを受信し、前記表示制御部は、前記優先表示項目と共に前記目標データの示す目標値を前記表示部に表示するように制御することが好ましい。この態様によれば、ユーザは、優先表示項目を視認する際に当該優先表示項目として示されている活動量に係る目標値も同時に視認できるため、当該活動量計の利便性がより高まる。
【図面の簡単な説明】
【００１２】
【図１】本発明の一実施形態に係る健康管理システムの構成例を示すブロック図である。
【図２】活動量計の構成例を示すブロック図である。
【図３】体組成計の概略構成例を示すブロック図である。
【図４】睡眠計の概略構成例を示すブロック図である。
【図５】血圧計の概略構成例を示すブロック図である。
【図６】本発明の一実施形態に係る健康管理システムによる特有の処理の流れを示す図である。
【図７】活動量計の表示部における優先表示項目及び目標値の表示例を示す図である。
【図８】活動量計の表示部における優先表示項目及び目標値の表示例を示す図である。
【図９】活動量計の表示部における優先表示項目及び目標値の表示例を示す図である。
【図１０】本発明の変形例に係る健康管理システムの構成例を示すブロック図である。
【発明を実施するための形態】
【００１３】
以下、図面を参照して本発明の実施形態を説明する。図１は本発明の一実施形態に係る健康管理システム１ａの概略構成を示すブロック図である。図１に示すように、健康管理システム１ａは、ユーザ装置Ａ１，Ａ２，Ａ３，…と、健康管理者が用いる健康管理者装置Ｂと、ユーザ装置Ａ１，Ａ２，Ａ３，…及び健康管理者装置Ｂとインターネットなどのネットワークを介して通信可能なサーバ装置１０Ａと、を含む。ユーザ装置Ａ１，Ａ２，Ａ３，…の各々は、ユーザの生体の状態を計測して生体の状態を示す生体データを生成する各種の生体計測装置を含む。説明の便宜上、ユーザ装置Ａ１，Ａ２，Ａ３，…は、それぞれ特定の一人のユーザにより使用される装置であるとする。本例ではユーザ装置Ａ１，Ａ２，Ａ３，…の中からユーザ装置Ａ１を取り上げ、ユーザ装置Ａ１とサーバ装置１０Ａとによって行われる処理について説明するが、他のユーザ装置Ａ２，Ａ３，…による処理もユーザ装置Ａ１による処理と同様である。
【００１４】
この健康管理システム１ａでは、ユーザ装置Ａ１，Ａ２，Ａ３，…で測定されたユーザの生体データをサーバ装置１０Ａで一元管理している。従って、ユーザは、サーバ装置１０Ａにアクセスすることによって自己の健康状態の変遷を知ることができる。ところで、健康管理システム１ａを使用する目的はユーザごとに異なる。例えば、ダイエットのために利用するユーザもいれば、日々の健康管理のために利用するユーザもいる。この健康管理システム１ａをユーザが利用するためには、各種の項目をサーバ装置１０Ａに登録する必要がある。その登録の項目には、年齢、性別、ユーザを一意に識別するユーザＩＤ、及び使用目的などが含まれている。なお、使用目的は登録時のものが固定ではなく、ユーザは適宜変更できるようになっている。
【００１５】
本実施形態の健康管理システム１ａでは、健康管理者が、健康管理者装置Ｂを用いて、サーバ装置１０Ａにアクセスして、ユーザの生体データを解析することができる。健康管理者は、ユーザの使用目的に応じて、特定の計測機器（本例では活動量計３０）の表示部に優先的に表示させる項目である優先表示項目を示す表示項目設定データを設定すると共に、使用目的を達成するための目標を示す目標データを設定する。サーバ装置１０Ａは表示項目設定データ及び目標データを特定の計測機器に通知する。
このようにして、特定の計測機器では、ユーザの使用目的に合致した項目が他の項目より優先して表示され、さらに、目標がユーザに提示される。
【００１６】
ユーザ装置Ａ１は、サーバ装置１０Ａとデータ通信を行う端末装置２０、活動量を計測する活動量計３０、体組成を計測する体組成計４０、睡眠の状態を計測する睡眠計５０、及び血圧を計測する血圧計６０を備える。活動量計３０では、歩数、歩行距離、脂肪燃焼量などの活動量の各項目を示す活動量データが生体データとして生成される。体組成計４０では、体重、体脂肪率、筋肉量などの体組成の各項目を示す体組成データが生体データとして生成される。睡眠計５０では、睡眠時間、睡眠の質を示す睡眠指標の各項目を示す睡眠データが生体データとして生成される。また、血圧計３０では、最低血圧、最高血圧の各項目を示す血圧データが生体データとして生成される。
【００１７】
端末装置２０は、例えば、パーソナルコンピュータなどで構成されており、活動量データ、体組成データ、睡眠データ、及び血圧データなどを含む生体データを集約してサーバ装置１０Ａへ送信する。さらに、端末装置２０は、当該端末装置２０のユーザの操作に応じて、ユーザが健康管理システム１ａを使用する目的を示す目的データを生成する。目的データの示す目的としては、ダイエット、運動不足解消、または体力維持などが挙げられる。
目的データは、健康管理システム１ａの使用目的を入力するためのＷｅｂページをサーバ装置１０Ａで管理し、ユーザが最初に健康管理システム１ａを利用する際に上記Ｗｅｂページに誘導してユーザに入力を促すことにより生成してもよい。このＷｅｂページは、各種の目的を示す複数の項目をユーザが選択できるようになっており、ユーザが項目を選択すると、選択された項目を示す目的データが端末装置２０で生成され、生成された目的データがサーバ装置１０Ａに送信される。
【００１８】
サーバ装置１０Ａは、制御部１１と、記憶部１２と、通信部１５と、設定データ取得部１８Ａと、目標データ取得部１９Ａとを備える。
制御部１１は、当該サーバ装置１０Ａの各部の動作を統括的に制御する。通信部１５は、各ユーザ装置Ａ１，Ａ２，Ａ３，…及び健康管理者装置Ｂとデータの送受信を行う。記憶部１２は、ユーザＩＤと対応付けて、ユーザ装置で生成する生体データ及び目的データと、サーバ装置１０Ａで生成する表示項目設定データ及び目標データを記憶する。
【００１９】
健康管理に係る知識を有する健康管理者は、健康管理者装置Ｂを用いてサーバ装置１０Ａにアクセスできるようになっている。サーバ装置１０Ａは、健康管理者装置Ｂからアクセス可能な管理用Ｗｅｂページを管理している。この管理用Ｗｅｂページには、表示項目設定データや目標データが設定されていないユーザのユーザ名及び当該ユーザが設定した使用目的が、登録日順にリスト表示される。健康管理者は、管理用Ｗｅｂページのユーザ名をクリックすることにより、当該ユーザの各種の生体データを閲覧できるようになっている。健康管理者は、生体データを閲覧して、当該ユーザの目的に適した表示項目設定データや目標データを入力することができる。
表示項目設定データは、ユーザ装置Ａ１を構成する特定の計測機器（本例では活動量計３０）の表示部に優先的に表示させる項目である優先表示項目を示す。また、目標データは、ユーザ装置Ａ１のユーザが所定の目的を実現する上で、所定期間（例えば１日当たり）に達成すべき優先表示項目（例えば歩数など）に係る目標値（例えば１日当たりに必要な歩数など）を示す。
設定データ取得部１８Ａは、健康管理者の設定した表示項目設定データを取得し、目標データ取得部１９Ａは、健康管理者の設定した目標データを取得する。このようにして生成された表示項目設定データ及び目標データは、ユーザ毎に記憶部１２に記憶される。
【００２０】
ユーザ装置Ａ１は、端末装置２０と、活動量計３０と、体組成計４０と、睡眠計５０と、血圧計６０とを備える。端末装置２０は、サーバ装置１０Ａとデータの送受信が可能な情報処理装置（例えばパーソナルコンピュータなど）である。ユーザは、端末装置２０を用いて、インターネットなどのネットワークを介してサーバ装置１０Ａへアクセスする。
【００２１】
活動量計３０は、当該活動量計３０を携行するユーザの身体活動に応じた活動量データを生成する。図２は、活動量計３０の一構成例を示すブロック図である。同図に示すように活動量計３０は、メモリ３２と、通信部３５と、計時部３６と、表示部３７と、加速度センサ３４と、操作部３３と、制御部３１と、備える。
メモリ３２は、加速度データを記録する第1記憶領域３２ａと、活動量データを記録する第２記憶領域３２ｂと、表示項目設定データ及び目標データを記録する第３記憶領域３２ｃとを備える不揮発性記憶媒体である。
【００２２】
通信部３５は、端末装置２０との間でデータの送受信を行うための通信インターフェース及び通信モジュールである。具体的には、通信インターフェースとしては、例えばＵＳＢ(Universal Serial Bus)コントローラなどから成る通信インターフェースや、電磁波を用いて非接触で通信を行う為のＩＣ(Integrated Circuit)カードインターフェース（例えばＦｅｌｉＣａ（登録商標）に対応するインターフェース）などを挙げることができる。また、通信モジュールとしては、例えばＢｌｕｅｔｏｏｔｈ（登録商標）規格に従った近距離無線通信により当該活動量計３０と端末装置２０とを接続する為の通信モジュール、及び、無線ＬＡＮ(Local Area Network)により当該活動量計３０とサーバ装置１０ＡとをＷｉ−Ｆｉ（登録商標）接続する為の通信モジュールなどを挙げることができる。
【００２３】
操作部３３は、ユーザによる各種入力操作の為の部材である。操作部３３の態様は特に限定されるものではなく、例えばボタン式操作部やタッチパネル式操作部などの任意の態様で操作部３３を設ければよい。
加速度センサ３４は、当該活動量計１に生じた加速度を検出し、ユーザの体動を示す加速度データを生成する。この加速度データは、当該活動量計３０のユーザの体動を定量的に示す体動情報である。
加速度データは第１記憶領域３２ａに記憶される。
【００２４】
制御部３１は、活動量計３０の各部を統括的に制御する制御部であり、後述する種々の処理を実行する。制御部３１は、各種プログラムが格納されたメモリ（不図示）を備えており、それら各種プログラムを読み出し、それらプログラムの各命令コードを実行する。これにより、当該活動量計３０の各種機能が実現する。
制御部３１は、ユーザに体動が生じると、加速度センサ３４によって生成された加速度データと、その時点で設定されているユーザデータ（例えば体重や歩幅を示す）とに基づいて、当該体動に係る活動量（例えば消費エネルギーなど）を算出して活動量データを生成する。ここで、ユーザデータとは、活動量の算出に要する当該活動量計３０のユーザに関するデータであって、予め操作部３３などを用いて当該活動量計３０に入力され、メモリ３２に格納されている。
【００２５】
具体的には、当該活動量計３０においては、加速度データとユーザデータとに基づいて、活動量データが下記のように複数項目生成される。すなわち、歩いた歩数を示す歩数データ、歩いた距離を示す歩行距離データ、歩いた時間を示す歩行時間データ、０時から現時点までの消費エネルギーを示す総消費エネルギー量データ、０時から現時点までの活動により消費したエネルギーを示す活動エネルギー量データ、活動によって燃焼した脂肪量を示す脂肪燃焼量データ、活動の強さを表す単位であるメッツで表現したメッツデータ、活動の量を表す単位であるエクササイズで表現したエクササイズデータ、１日ごとのエクササイズ量をグラフ表示する週間エクササイズデータ、及び、１週間で２３エクササイズを１００％としたときの当該週のエクササイズ達成度を示すエクササイズ達成度データが、活動量データとして制御部３１によって生成される。これら活動量データのうち少なくとも一項目は、端末装置２０を介してサーバ装置１０Ａへ送信される。また、活動量データは、当該活動量計３０の識別情報が付帯されてメモリ３２の第２記憶領域３２ｂに記憶される。
なお、加速度データとユーザデータとに基づいて、上述した種々の活動量データを生成する方法は公知の技術であり、本発明の実施形態に特有の技術ではないため詳細な説明は省略する。
【００２６】
メモリ３２の第３記憶領域３２ｃには、サーバ装置１０Ａから送信された目標データが記憶される。目標データは、上述したようにユーザ装置Ａ１のユーザが所定の目的を実現する上で、所定期間に達成すべき優先表示項目に係る目標値を示す。具体的には、優先表示項目が歩数データである場合には、歩数の目標値を示すデータである。また、優先表示項目が歩行時間データである場合には、歩行時間の目標値を示すデータである。
また、メモリ３２の第４記憶領域３２ｄには、ユーザデータと当該活動量計３０を一意に識別する識別データとが格納されている。なお、上述したユーザＩＤを識別データと兼用してもよい。
【００２７】
表示部３７は、当該活動量計３０のポータビリティを考慮した小型ディスプレイであるため、ユーザが視認しやすい態様で複数項目の活動量データを同時に表示部３７に表示させることは非常に困難である。従って、当該活動量計３０では、活動量データは一項目づつ表示部３７に表示され、ユーザによる操作部３３の操作に応じて活動量データの表示項目が切り替わるように制御部３１によって表示制御される。
【００２８】
ところで、本実施形態に係る健康管理システム１ａの活動量計３０は、サーバ装置１０Ａから取得した表示項目設定データ及び目標データに基づいて、表示制御方式をカスタマイズできる。制御部３１は、サーバ装置１０Ａから取得した表示項目設定データが示す優先表示項目を、優先的に表示部３７に表示させる設定を行う。
この設定後、制御部３１は、活動量データを表示する際には、優先表示項目を優先的に表示部３７に表示させるように制御する。具体的には、制御部３１は活動量データを表示させる場面において、先ず優先表示項目を表示させるように制御したり、さらには他の項目に表示が切り替えられないように制御したりする。換言すれば、制御部３１は、ユーザが目的を達成する上で最も参考になるであろう項目である優先表示項目を、当該ユーザが容易に視認できるようにする。
【００２９】
さらに、制御部３１は、サーバ装置１０Ａから取得した目標データに基づいて、優先表示項目に係る目標値を設定する。そして、制御部３１は、優先表示項目を表示部３７に表示させる際には、当該優先表示項目とともに目標値も表示部３７に表示させる。これにより、ユーザは、優先表示項目を視認する際に当該優先表示項目として示されている活動量の目標値をも同時に視認できるようになり、当該活動量計３０の利便性がより高まる。
【００３０】
図３は、体組成計４０の概略構成例を示すブロック図である。同図に示すように、体組成計４０は、ユーザの体重を測定する体重測定部４３と、ユーザの生体インピーダンスを測定する生体インピーダンス測定部４４と、各種データを記憶するメモリ４２と、端末装置２０との間でデータの送受信を行うための通信部４５と、体組成計４０全体の動作を統括するとともに各種の制御処理を実行する制御部４１とを備える。制御部４１は、体重測定部４３による測定結果に基づいてユーザの体重を示す体重データを生成し、生体インピーダンスに基づいてユーザの体脂肪率を示す体脂肪率データなどを生成する。体重データ及び体脂肪率データは、ユーザの体組成を示す体組成データに含まれる。体組成計４０によって生成される体組成データは、生体データの一態様である。体組成データは、端末装置２０を介してサーバ装置１０Ａへ送信される。
【００３１】
図４は、睡眠計５０の概略構成例を示すブロック図である。睡眠計５０は、流体室５６Ｓ−１と信号生成部５６Ｓ−２とを備える圧力検出部５６Ｓと、圧力検出部５６Ｓの出力信号のうち所定の帯域を通過させてユーザの脈拍信号、呼吸信号、及び体動信号を抽出する信号抽出部５５と、信号抽出部５５から出力された脈拍信号、呼吸信号、及び体動信号をＡ／Ｄ変換して脈拍データ、呼吸データ、及び体動データを生成するＡ／Ｄ変換部５４と、脈拍データ、呼吸データ、及び体動データに基づいてユーザの睡眠の質を評価した睡眠データを生成する制御部５３と、睡眠データを記憶するメモリ５２と、端末装置２０とデータの送受信を行う通信部５１とを備える。睡眠データは、睡眠計５０によって生成される生体データであり、端末装置２０を介してサーバ装置１０Ａへ送信される。
【００３２】
図５は、血圧計６０の概略構成例を示すブロック図である。同図に示すように、血圧計６０は、空気袋６８と、該空気袋６８内の圧力（以降、カフ圧と略称する）を検出する圧力センサ６３と、空気袋６８に空気を供給するポンプ６４と、空気袋６８の空気の排出・封入の際に開閉される排気弁６５と、圧力センサ６３、ポンプ６４、及び排気弁６５と空気袋６８とを接続するエアチューブ６７と、ポンプ６４の駆動制御及び排気弁６５の開閉制御を行い、圧力センサ６３によって検出されたカフ圧に基づいてユーザの血圧を特定して血圧データを生成する制御部６１と、血圧データを記憶するメモリ６２とを備える。血圧データは、血圧計６０によって生成される生体データであり、端末装置２０を介してサーバ装置１０Ａへ送信される。
【００３３】
図６は、本実施形態に係る健康管理システム１ａによる主な処理の流れを示す図である。まず、ユーザがユーザ装置Ａ１を構成する各計測機器を使用し、各計測機器に生体データを生成させる（ステップＳ１）。図６に示す例では、体組成計４０が体組成データ及び体重データを生成し、睡眠計５０が睡眠データを生成し、活動量計３０が活動量データを生成する。
続いて、ユーザは各計測機器を端末装置２０に通信可能に接続し、各計測機器によって生成された生体データを端末装置２０に送信する（ステップＳ２）。これらの生体データは端末装置２０で集約され、ユーザを識別するユーザＩＤと共にサーバ装置１０Ａに送信される(ステップＳ３)。サーバ装置１０Ａは、生体データをユーザＩＤと対応づけて記憶部１２に記憶する(ステップＳ４)。
さらに、ユーザが、端末装置２０を用いて上述した目的データを生成すると（ステップＳ５）、端末装置２０はユーザＩＤと共に目的データをサーバ装置１０Ａへ送信する（ステップＳ６）。
【００３４】
この後、健康管理者がサーバ装置１０Ａにアクセスして、表示項目設定データを設定すると、設定データ取得部１８Ａは表示項目設定データを取得して、ユーザＩＤと対応付けて記憶部１２に記憶させる（ステップＳ７）。さらに、健康管理者が、目標データを設定すると、目標データ取得部１９Ａは目標データを取得してユーザＩＤと対応付けて記憶部１２に記憶させる（ステップＳ８）。
【００３５】
その後、活動量計３０から当該サーバ装置１０Ａにアクセスがなされると、サーバ装置１０Ａは活動量計３０から識別情報を取得し、当該識別情報が記憶部１２に記憶されている生体データに対応付けられた識別情報であるか否かを判定する。そして、判定の結果が肯定である場合、サーバ装置１０Ａは、当該識別情報が対応付けられた表示項目設定データ及び目標データを記憶部１２から読み出して活動量計３０に送信する（ステップＳ８）。
なお、活動量計３０に送信した表示項目設定データ及び目標データについてはその旨のフラグを付し、当該フラグが付された表示項目設定データ及び目標データについてはその後送信しないようにしてもよい。
【００３６】
活動量計３０は、サーバ装置１０Ａによって送信された表示項目設定データ及び目標データを受信すると、当該表示項目設定データ及び目標データをメモリ３２の第３記憶領域３２ｃに記憶させる（ステップＳ１０）。続いて、上述したように表示項目設定データに基づいて優先表示項目を設定するとともに、目標データに基づいて目標値を設定する（ステップＳ１１）。その後、当該活動量計３０は、複数項目の活動量データのうち優先表示項目に設定した項目を優先的に表示させるとともに、当該優先表示項目に係る目標値を表示部３７に表示させるように制御する（ステップＳ１２）。
ステップＳ１１においては、優先表示項目及び目標値に加えて目的データが示す目的（例えば運動不足解消など）も表示部３７に表示させる表示制御を行ってもよい。これにより、ユーザは当該活動量計３０を使用している目的を容易に確認することができ、優先表示項目に係る活動量の目標値を達成する上でのモチベーションを高めることができる。
【００３７】
図７乃至図９は、活動量計３０の表示部３７における優先表示項目及び目標値の表示例を示す図である。
図７に示す例では、目的データが示す目的「運動不足解消」を表示部３７の上部領域３７−１に表示させ、優先表示項目「歩数」をその目標値とともに下部領域３７−２に表示させる表示制御が行われている。具体的には、図７に示す例では、当該時点でユーザが既に歩いた歩数は９７５０歩であり、一日当たりの歩数の目標値は１００００歩であることが表示部３７に示されている。
図８に示す例では、目的データが示す目的「体力維持」を表示部３７の上部領域３７−１に表示させ、優先表示項目「歩行距離」をその目標値とともに下部領域３７−２に表示させる表示制御が行われている。具体的には、図８に示す例では、当該時点でユーザが既に歩いた距離は５．５ｋｍであり、一日当たりの歩行距離の目標値は７ｋｍであることが表示部３７に示されている。
図９に示す例では、目的データが示す目的「ダイエット」を表示部３７の上部領域３７−１に表示させ、優先表示項目「消費エネルギー」をその目標値とともに下部領域３７−２に表示させる表示制御が行われている。具体的には、図９に示す例では、当該時点でユーザが既に消費したエネルギーは１６５０ｋｃａｌであり、一日当たりの消費エネルギーの目標値は２０００ｋｃａｌであることが表示部３７に示されている。
【００３８】
ところで、本実施形態では、活動量計３０の優先表示項目及び目標値を設定するのに、活動量計３０以外の生体計測装置から得られた体組成データ、睡眠データ、或いは血圧データなどの生体データを参照可能としている。これにより、使用目的を達成する観点から、ユーザの生体の状態を把握することが可能となる。
例えば、ユーザが設定した目的データが運動不足解消を示す場合を想定する。ここで、活動量計３０以外の生体計測装置である睡眠計５０から得られた睡眠データの示す睡眠の質が良好であり、体組成計で生成された体組成データの示す体脂肪率が良好であるものとする。これらの生体データはユーザが健康であることを示している。この場合、優先表示項目として活動の強さを表すメッツを選択し、目標値として過去のメッツの平均より３％増加させたメッツを目標値としてもよい。
また、睡眠データの示す睡眠の質が不良であり、体組成計で生成された体組成データの示す体脂肪率が不良であるものとする。これらの生体データはユーザが不健康であることを示している。このように不健康なユーザには、無理に運動強度の大きい運動を促すのは適切でない。そこで、不健康なユーザであっても取り組み易いように、優先表示項目を歩行距離とし、過去の歩行距離の平均よりも１０％増加させた歩行距離を目標値としてもよい。
【００３９】
以上説明したように、本発明の一実施形態によれば、多数の計測項目をユーザに提示する生体計測装置（例えば活動量計３０など）を、当該ユーザの使用目的に沿った計測項目が優先的に表示されるように表示制御をカスタマイズすることができる。
すなわち、活動量計３０のユーザの使用目的に沿った項目に係る活動量データが、当該活動量計３０の表示部に優先的に表示されるように、当該活動量計３０がカスタマイズされる。従って、ユーザは、自身の生体に係る状態や使用目的などを分析して活動量計３０の表示をカスタマイズする必要がなくなるため、当該カスタマイズに要する手間が軽減される。
【００４０】
＜変形例＞
本発明は、上述した実施形態に限定されるものではなく、例えば、以下に述べる各種の変形が可能である。なお、実施形態と各変形例を適宜組み合わせてもよいことは勿論である。
（１）上述した実施形態では、健康管理者が表示項目設定データ及び目標データを設定したが本発明はこれに限定されるものではなく、サーバ装置において表示項目設定データ及び目標データを生成してもよい。図１０に変形例に係る健康管理システム１ｂの構成を示す。健康管理システム１ｂは、健康管理者装置Ｂを削除した点及びサーバ装置１０Ａの替わりにサーバ装置１０Ｂを備える点を除いて、図１に示す実施形態の健康管理システム１ａと同様に構成されている。
サーバ装置１０Ｂは、生体データ及び目的データに基づいて表示項目設定データを生成する設定データ生成部１８Ｂ、及び生体データ及び目的データに基づいて目標データを生成する目標データ生成部１９Ｂを備える。
これにより、表示項目設定データ及び目標データを自動的に生成できるので、活動量計３０において、使用目的に合致した項目及び目標値を提供するまでの時間を短縮することができる。また、健康管理者の主観に左右されないので、より客観的に定めた優先して表示する項目及び目標値を提供することができる。
なお、設定データ生成部１８Ｂのみを採用し、目標データについては健康管理者が設定してもよいし、目標データ生成部１９Ｂのみを採用し、表示項目設定データについては健康管理者が設定してもよい。
【００４１】
（２）上述した実施形態においては、生体計測装置の一種である活動量計３０について、表示項目設定データ及び目標データを外部から取り込むようにしたが、本発明はこれに限定されるものではなく、他の生体計測装置に適用してもよいことは勿論である。また、同じ使用目的を達成するために、各生体計測装置に表示項目設定データ及び目標データを設定してもよい。例えば、１カ月で５ｋｇのダイエットを使用目的として設定した場合に、体組成計４０に体重を優先表示項目とし、一週間後の目標とする体重を表示させる一方、活動量計３０では、脂肪燃焼量を優先表示項目とし、１日当たりの脂肪燃焼量を目標値としてもよい。
【００４２】
（３）上述した実施形態においては、ある生体データを計測する生体計測装置（例えば、活動量計３０）の優先表示項目及び目標値を定めるために、健康管理者に他の生体計測装置（例えば、体組成計４０）で測定された生体データを閲覧可能としたが、本発明はこれに限定されるものではない。すなわち、ある生体データを計測する生体計測装置の優先表示項目及び目標値を定めるために、健康管理者に他の生体計測装置で測定された生体データを閲覧不能とし、設定の対象となる当該生体計測装置で測定された生体データを閲覧可能としてもよい。また、変形例で説明した設定データ生成部１８Ｂは、目的データ及び活動量データに基づいて、表示項目設定データを生成してもよい。また、目標データ生成部１９Ｂにおいて、目的データ及び活動量データに基づいて、目標データを生成してもよい。
【００４３】
（４）上述した実施形態には種々の段階の発明が含まれており、開示した複数の構成要件の適当な組み合わせにより種々の発明が抽出され得る。例えば、実施形態に示す全構成要件からいくつかの構成要件が削除されても、発明が解決しようとする課題の欄で述べた課題が解決でき、発明の効果の欄で述べられている効果が得られる場合には、この構成要件が削除された構成も発明として抽出され得る。
【符号の説明】
【００４４】
１ａ，１ｂ…健康管理システム、１０Ａ，１０Ｂ…サーバ装置、１１…制御部、１２…記憶部、１５…通信部、１６…データベース部、１８Ａ…設定データ取得部、１８Ｂ…設定データ生成部、１９Ａ…目標データ取得部、１９Ｂ…目標データ生成部、２０…端末装置、３０…活動量計、３１…制御部、３２…メモリ、３３…操作部、３４…加速度センサ、３５…通信部、３６…計時部、３７…表示部、４０…体組成計、４１…制御部、４２…メモリ、４３…体重測定部、４４…生体インピーダンス測定部、４５…通信部、５０…睡眠計、５１…制御部、５２…メモリ、５２…通信部、５３…変換部、５４…信号抽出部、５５Ｓ…圧力検出部、５５Ｓ−１…流体室、５５Ｓ−２…信号生成部、５６…計時部、６０…血圧計、６１…制御部、６２…メモリ、６３…圧力センサ、６４…ポンプ、６５…排気弁、６８…空気袋、６９…計時部。
【図１】
2015051224.tif 000003
【図２】
2015051224.tif 000004
【図３】
2015051224.tif 000005
【図４】
2015051224.tif 000006
【図５】
2015051224.tif 000007
【図６】
2015051224.tif 000008
【図７】
2015051224.tif 000009
【図８】
2015051224.tif 000010
【図９】
2015051224.tif 000011
【図１０】
2015051224.tif 000012